(57)【特許請求の範囲】
【請求項１】
土木・建設機械に使用されている部品、部位を示す図面および、又は写真、並びに部品番号が記憶された記憶手段と、該記憶手段に記憶されている情報を呼び出す情報抽出手段と、該情報抽出手段により抽出された情報を表示するディスプレイを含む情報表示システム、及び、前記ディスプレイに表示された情報を前記土木・建設機械を管理する管理部門に通信衛星を介して送受信する交信手段と、前記管理部門に通信衛星を介して常時受信可能な前記交信手段により受信した情報を出力する出力手段とを具備した土木・建設機械の部品手配システムにおいて、
前記情報抽出手段にはオペレータが故障した部品又は部位の名称を特定できた場合に利用して部品番号を特定するプログラムＡと、該オペレータが故障した部品又は部位の名称を特定できない場合に利用して部品番号を特定するプログラムＢが記録されており、
プログラムＡを選択した場合には、部品名又は部位の名称を指定して表示ボタンを押すと対応する図面又は写真が画面表示され、表示された図面又は写真が正しくない場合は、表示ボタンを押し続けると対応する図面又は写真が順次画面表示され、オペレータが正しいと判断した図面又は写真が表示された場合に、クリック又はパネルタッチにより部品番号を表示させ、送信ボタンをクリック又はパネルタッチすることにより画面に表示された部品番号と図面又は写真が前記交信手段により前記管理部門に送信され、
プログラムＢを選択した場合には、最初に油圧ショベルの全体図又は全体写真が表示されると共にメニュウが表示され、図面又は写真の部分をクリック又はパネルタッチするか、或いはメニュウをクリック又はパネルタッチすると、その指示に従って表示図面又は写真が変更され、拡大縮小され、オペレータ又はサービスマンの順次行う指示に従って、順次に部品又は写真が画面表示され、希望する画面表示を得た場合にクリック又はパネルタッチにより部品番号を表示させ、送信ボタンをクリック又はパネルタッチすることにより画面に表示された部品番号と図面又は写真が前記交信手段により前記管理部門に送信されるように構成したことを特徴とする土木・建設機械の部品手配システム。
【発明の詳細な説明】
【０００１】
【発明の属する技術分野】
この発明は、土木・建設機械に使用されている部品乃至部位の情報を該土木・建設機械を管理する管理部門に知らせる部品手配システムに関するもの、特に通信衛星による部品手配システムに関するものである。
【０００２】
【従来技術】
油圧ショベル等の土木・建設機械は過酷な条件の下で使用される場合が多いためトラブルを生じ易く、また、使用されている部品は数万点にも及ぶため油圧ショベルのオペレータにはトラブル箇所の部品を正確に特定するのが容易でない場合が多かった。従って、油圧ショベルのオペレータはトラブルが生じた場合は油圧ショベルを管理する管理部門又は油圧シベルの製造・販売部門のサービス部門にサービスマンに来て貰うように連絡をとり、一方、サービスマンは何時間か時間を掛けて現場に出向き、故障箇所を調査し、必要と思われる部品について前記油圧ショベルを管理する管理部門又は油圧シベルの製造・販売部門のサービス部門に知らせ、手配していた。
【０００３】
しかし、この場合において、サービスマン又はオペレータから前記油圧ショベルを管理する管理部門又は油圧シベルの製造・販売部門のサービス部門への連絡は電話により行われていた。このため、正確な部品の連絡及び正確な故障個所の確認が困難で、誤った部品や部品番号が伝わり、正しい部品の入手に多くの時間と労力を要する場合があった。
【０００４】
【発明が解決しようとする課題】
本発明は、上記事実に鑑みなされたものであり、その目的は油圧ショベル等の土木・建設機械にトラブルが生じた場合に、オペレータが故障箇所を特定できる場合は、オペレータが簡単に故障箇所又は必要部品について前記油圧ショベルを管理する管理部門又は油圧シベルの製造・販売部門のサービス部門に正しく通知が行われることを可能にし、また、オペレータが故障箇所を特定できない場合には、サービスマンによって故障箇所及び原因の調査を容易にし、かつ、故障箇所又は必要部品を前記油圧ショベルを管理する管理部門又は油圧シベルの製造・販売部門のサービス部門への正確な通知を容易にして、誤った部品の手配を防止することを目的とする。
【０００５】
【課題を解決するための手段】
上記課題を解決するために、
請求項１に記載の発明は、土木・建設機械に使用されている部品、部位を示す図面および、又は写真、並びに部品番号が記憶された記憶手段と、該記憶手段に記憶されている情報を呼び出す情報抽出手段と、該情報抽出手段により抽出された情報を表示するディスプレイを含む情報表示システム、及び、前記ディスプレイに表示された情報を前記土木・建設機械を管理する管理部門に通信衛星を介して送受信する交信手段と、前記管理部門に通信衛星を介して常時受信可能な前記交信手段により受信した情報を出力する出力手段とを具備した土木・建設機械の部品手配システムにおいて、
前記情報抽出手段にはオペレータが故障した部品又は部位の名称を特定できた場合に利用して部品番号を特定するプログラムＡと、該オペレータが故障した部品又は部位の名称を特定できない場合に利用して部品番号を特定するプログラムＢが記録されており、
プログラムＡを選択した場合には、部品名又は部位の名称を指定して表示ボタンを押すと対応する図面又は写真が画面表示され、表示された図面又は写真が正しくない場合は、表示ボタンを押し続けると対応する図面又は写真が順次画面表示され、オペレータが正しいと判断した図面又は写真が表示された場合に、クリック又はパネルタッチにより部品番号を表示させ、送信ボタンをクリック又はパネルタッチすることにより画面に表示された部品番号と図面又は写真が前記交信手段により前記管理部門に送信され、
プログラムＢを選択した場合には、最初に油圧ショベルの全体図又は全体写真が表示されると共にメニュウが表示され、図面又は写真の部分をクリック又はパネルタッチするか、或いはメニュウをクリック又はパネルタッチすると、その指示に従って表示図面又は写真が変更され、拡大縮小され、オペレータ又はサービスマンの順次行う指示に従って、順次に部品又は写真が画面表示され、希望する画面表示を得た場合にクリック又はパネルタッチにより部品番号を表示させ、送信ボタンをクリック又はパネルタッチすることにより画面に表示された部品番号と図面又は写真が前記交信手段により前記管理部門に送信されるように構成したことを特徴としている。
【０００７】
【発明の実施の形態】
以下本発明の実施形態を図１乃至図２に基づいて説明する。
図１は本発明の実施形態に係る通信システムを示し、図２は本発明の実施形態に係るシステムブロック図を示す。
【０００８】
図１及び図２において、１は油圧ショベルであり、２は通信衛星である。該油圧ショベル１には通信衛星２との交信を行う通信衛星アンテナ３を有する交信手段４と、油圧ショベル等の土木・建設機械に使用されている部品乃至部位を表す図面情報を記憶している記憶手段５、該記憶手段５から部品乃至部位の図面情報を抽出する情報抽出手段６、該抽出された部品乃至部位の図面情報を表示する表示手段７を含むコンピュータが搭載されている。８は通信衛星アンテナ９を有する通信中継局であり、１０は該通信中継局８と情報を交信する交信手段１１と該交信手段により受信した情報を出力する出力手段１２を有する油圧ショベル１を管理する管理部門である。
【０００９】
情報抽出手段６は、例えば、名称（部品の名称、部位の名称等）を指定して図面等を表示させるプログラムＡ（図示省略）と、誘導によって図面等を表示させるプログラムＢ（図示省略）が含まれている。プログラムＡでは、部品名又は部位を指定して表示ボタンをクリックする対応する図面等が画面表示される。表示された図面等が正しくない場合は、表示ボタンを再度クリックすると対応する図面等が順次画面表示される。オペレータは正しいと判断した図面等が表示された場合、クリック又はパネルタッチ（以下クリック等という）により部品番号を表示させる。送信ボタン（図示省略）をクリック等することにより画面に表示された部品番号と図面等が交信手段４により送信される。
【００１０】
プログラムＢでは、最初に油圧ショベルの全体図が表示されると共に、メニュウが表示される。図面の部分をクリック等するか、或いはメニュウをクリック等することによりその指示に従って、表示図面が変更され、拡大縮小される。オペレータは指示を順次行うことによって目的の部品等の画面表示に達する。希望する画面表示を得た場合はクリック又はパネルタッチ（以下クリック等という）により部品番号を表示させる。この場合も上記と同様送信ボタン（図示省略）をクリック等することにより画面に表示された部品番号と図面等が交信手段４により送信される。
【００１１】
次に、本発明の作用を説明する。
先ず、図１及び図２において、油圧ショベル１にトラブルが生じた場合、先ずオペレータが故障箇所を調べる。そして、オペレータが故障箇所を見つけた場合は、オペレータ自身が情報抽出手段６を操作し、故障箇所の部品乃至部位を表す図面をディスプレイ等の表示手段７に表示する。表示手段７に表示された部品乃至部位の図面情報は交信手段４から通信衛星アンテナ３、通信衛星２、通信アンテナ９、通信中継局８を介して油圧ショベル１の管理部門１０の交信手段１１に送信され、前記部品乃至部位の図面情報は油圧ショベル１の管理部門１０の出力手段１２に出力される。また、オペレータは前記表示手段７に表示された部品乃至部位をマウスでクリックすることにより、又はパネルタッチすることにより、故障した必要部品の番号を前記表示手段７に表示させ、該部品番号を同様に油圧ショベル１の管理部門１０に送信し、該管理部門１０に必要部品の番号を知らせることが可能となる。
【００１２】
次に、オペレータが故障箇所を特定することができない場合は、オペレータがサービスマンを呼び、サービスマンが故障箇所及び原因を調査し、前記と同様の必要部品の手配が行われる。
【００１３】
上記実施形態では、油圧ショベル１のコンピュータに記憶手段５を搭載した場合を説明したが、該記憶手段５はＣＤ−ＲＯＭ等の記憶媒体であっても良いことは言うまでもない。
【００１４】
尚、油圧ショベル１の管理部門としては、油圧シベルの製造・販売部門のサービス部門、油圧ショベル１を購入した顧客の管理部門等が考えられる。また、情報抽出手段６は上記に説明したものに限定されない。類似した方法又は他の方法で抽出する場合も本発明に含まれる。
【００１５】
【発明の効果】
この発明は、上記一実施例に於いて詳述した構成により、油圧ショベル等の土木・建設機械にトラブルが生じた場合に、オペレータ自身、又はサービスマンが故障箇所を特定し、該故障箇所の部品乃至部位の図面等を前記油圧ショベルの管理部門又は油圧シベルの製造・販売部門のサービス部門に示すことができると共に、必要部品の番号を通知することができるので、油圧ショベルを管理する管理部門又は油圧シベルの製造・販売部門のサービス部門が間違って部品を調達することがなく、短時間で確実に必要部品を入手できる等きわめて顕著な効果を奏する。
【図面の簡単な説明】
【図１】本発明に係る実施形態を示す通信システム図を示す。
【図２】本発明に係る実施形態を示すシステムブロック図を示す。
【符号の説明】
１       油圧ショベル
２       通信衛星
３       通信衛星アンテナ
４       交信手段
５       記憶手段
６       情報抽出手段
７       表示手段
８       通信中継局
９       通信衛星アンテナ
１０       管理部門
１１       交信手段
１２       出力手段
【図１】
0004593807.tif 000002
【図２】
0004593807.tif 000003